Podtech/llm-jp-corpus-v4-ja_patent huggingface dataset:
(57)【要約】      （修正有）【課題】高所剪定のための剪定鋏に簡単に装着でき、不要時において収納を容易にするとともに、剪定の機能と採取の機能を一体化することにより効率良く果実等の採取が可能とし、また、剪定作業に伴う枝葉の処理を迅速、かつ、簡単になし得る剪定鋏装着用の受取網を提供すること。【解決手段】剪定鋏本体１１に装着するための上部が開口する断面Ｕ字状の装着具２を有し、前記装着具の下面に脚部４を固着し、脚部から環状のリング部材５を突設して設け、該リングに捕捉用の網６を装着したものである。【選択図】図１
0003107581.tif 000002
【実用新案登録請求の範囲】
【請求項１】
剪定鋏本体に装着する受取網であって、上部が開口する断面Ｕ字状の装着具を有し、前記装着具の下面に脚部を固着し、脚部から環状のリング部材を突設して設け、該リングに捕捉用の網を装着したことを特徴とする剪定鋏装着用の受取網。
【請求項２】
請求項１記載の剪定鋏装着用の受取網において、捕捉用の網の中間部分の位置にゴムを編み込み、絞り部を形成したことを特徴とする剪定鋏装着用の受取網。
【請求項３】
請求項１、２記載の剪定鋏装着用の受取網において、網の末端が開閉自由にしたことを特徴とする剪定鋏装着用の受取網。
【考案の詳細な説明】
【技術分野】
【０００１】  本考案は、市販の剪定鋏に簡単に装着でき、損傷防止簡易取り出し出来る受取網に関するものである。
【背景技術】
【０００２】  高所の果実を採取し、あるいは、不要な枝等剪定する場合、高所の剪定作業を簡単になさしめるために高所剪定鋏が種々提案されている。しかしながら、かかる高所剪定鋏による剪定作業にあっても、剪定された枝葉の除去、清掃にさいして労力を要し、また、特に果実の摘果作業にあっては果実の損傷が商品価値を低下させることになることから、果実の摘果に際しては一枝ごと、一個ずつ切り取り採取していた。
【考案の開示】
【考案が解決しようとする課題】
【０００３】  高所剪定のための剪定鋏に簡単に装着でき、不要時において収納を容易にするとともに、剪定の機能と採取の機能を一体化することにより効率良く果実等の採取が可能とし、また、剪定作業に伴う枝葉の処理を迅速、かつ、簡単になし得る剪定鋏装着用の受取網を提供することである。
【課題を解決するための手段】
【０００４】  前述の課題を解決するための本考案にかかる剪定鋏装着用の受取網の構成は、剪定鋏本体に装着するための上部が開口する断面Ｕ字状の装着具を有し、前記装着具の下面に脚部を固着し、脚部から環状のリング部材を突設して設け、該リングに捕捉用の網を装着した点に存するものである。【０００５】  また、本考案にかかる剪定鋏装着用の受取網の構成は、捕捉用の網の中間部分の位置にゴムを編み込み、絞り部を形成した点に存するものである。【０００６】  さらに、本考案にかかる剪定鋏装着用の受取網の構成は、網の末端が開閉自由にした点に存するものである。
【考案の効果】
【０００７】  上述の様に、本考案の剪定鋏装着用の受取網は、剪定鋏の棒桿を把持する断面Ｕ字状の装着具を設けたので、簡単に着脱することが可能であり、捕捉用の網の中間部分に絞り部を形成することにより果実等の商品価値を損傷させることなく採取でき、しかも、捕捉用の網の底部から簡易取り出し出来ることにより、剪定作業を効率よくなし得るものである。
【実施例】
【０００８】  以下、図示の実施例に基づいて本考案にかかる剪定鋏装着用の受取網を説明する。
１は本考案にかかる剪定鋏装着用の受取網であって、２は金属製、耐久性のプラスチック等の適宜素材にて形成された装着具であって、その上部が開口部３とされた断面形状がＵ字状に形成され、その開口部３の口部は、後述する剪定鋏１１の棒桿１２に嵌着しやすくするために外側に開くリップ部３’が形成されている。【０００９】  この装着具２の下面側に脚部４がネジ（図示を省略した。）により固着され、あるいは、前記装着具２と一体的に形成されたものであって、この脚部４から前方に突出するように環状のリング５が固設されてなり、該リング５に剪定された果実あるいは枝葉を捕捉する網６が装着されている。【００１０】  リング５に装着される網６は、特に限定するものではないがその中間部分において網目を用いてゴム紐８を挿通して絞り部７を１ないし２カ所、さらには、複数箇所に形成するのが望ましく、この絞り部７の形成は、果実の摘果時において、果実の落下速度を減衰せしめ、果実同士の衝突による損傷を緩和せしめる効果をもたらすものとして有効である。【００１１】  また、前述の網６は、その下端部において解放状とされ、前述の絞り部７の形成と同様に、絞り紐９を挿通し、該絞り紐９には樹脂製の固定チューブ１０が嵌着され、網６の底部の閉塞、開放をなさしめる。【００１２】  上述する本考案にかかる剪定鋏装着用の受取網において、受取網１を剪定鋏１０に装着するのであるが、剪定鋏１０の先端部における鋏１３の下方における適切な位置に網６を固着するリング５の開口が位置するように装着具２の固定位置を調整し、しかる後、装着具２を剪定鋏１１の棒桿１２に押し込むことにより、装着具２の弾性によって開口部３に形成したリップ部３’が押し開かれ、棒桿１１に嵌着し、装着具２の弾性（弾力）によって強固に把持することになる。【００１３】  前述のように受取網１をセットした状態において、剪定作業をなすが、例えば、果実の剪定に際して、鋏１３により切断するが、果実が網６に落下すると絞り部７によって速度が減速され、網６の底部から順次収容される状態となり、網６が満杯になれば底部の絞り紐９を弛めて開放して果実を取り出す。枝葉を剪定する場合においても同様に作用をなすもので、取り出し作業を簡便になしえて、作業効率を向上せしめることが可能となる。
【図面の簡単な説明】
【００１４】
【図１】本考案にかかる剪定鋏装着用の受取網の使用状態を示す説明図。
【図２】本考案にかかる剪定鋏装着用の受取網を示す説明図。
【符号の説明】
【００１５】１：受取網
２：装着具
３：開口部
４：脚部
５：リング
６：網
７：絞り部
８：ゴム紐
９：絞り紐
１０：固定チューブ
１１：剪定鋏
１２：棒桿
１３：鋏
【図１】
0003107581.tif 000003
【図２】
0003107581.tif 000004
(57)【要約】【課題】真空管式アンプに於いては音質を高めるために真空管の表面温度を下げる努力がされてきたが１４０℃から１２０℃にするのが限界と思われていた【解決手段】従来品と同じ銅から加工されている銅金網を使用した事で真空管の表面温度が１４０℃から１１０℃に下がりアンプの音質が数段に向上した。【選択図】  図２
0003107545.tif 000002
【実用新案登録請求の範囲】
【請求項１】
銅金網で蛇腹（アコーデオン）に加工したチューブ・ラジエター（放熱器）
【考案の詳細な説明】
【技術分野】
【０００１】熱伝導率の高い銅で出来た金網（銅メッシュ）で蛇腹（アコーディオン）に加工した真空管用ラジエター（放熱器）
【背景技術】
【０００２】従来からの真空管用放熱器は銅板．アルミ板に通風孔をあけるかベンチレーション加工をしたものであった
【考案の開示】
【考案が解決しようとする課題】
【０００３】銅及びアルミ板の放熱効果を上げるためにより多くの孔をあける必要があるが物理的にも費用的にも限界があった
【課題を解決するための手段】
【０００４】銅金網を使用することにより単位あたりの表面積が大きくなった
【考案の効果】
【０００５】同じ素材でも銅板に対し銅金網は表面積がおおい分３０％以上放熱効果が上がった
【考案を実施するための最良の形態】
【０００６】銅金網を蛇腹にすることで放熱効果が著しく上がった
【施工例】
真空管表面最高                        １４０℃  →  １４０℃
従来品を使用                          １４０℃  →  １２０℃
銅メッシュチューブラジエターを使用    １４０℃  →  １１０℃
【産業上の利用可能性】
【０００７】上記、施工例から解るように暖房器具（対流式）に使用することにより暖房効果がより早く表れる可能性が考えられる
【図面の簡単な説明】
【０００８】
【図１】蛇腹
【図２】チューブ．ラジエター
【図１】
0003107545.tif 000003
【図２】
0003107545.tif 000004
(57)【要約】  【課題】  装着時のタンの靴内部への入り込みやタンの縒れを防ぐことができるスリッポンシューズを提供する。  【解決手段】  フィット感を高めるためにタン３０が甲部２０に付けられたスリッポンシューズ１において、シューズ１の着用時に、着用者が指でつまみ上げることより、タン３０のシューズ内部側への入り込みや縒れを防ぐことができるテープ部材４０を設ける。タン３０の一端はタン３０の上端部に固定され、他端は、甲部２０に組み込まれた甲部パーツ２１に固定される。【選択図】      図１
0003107555.tif 000002
【実用新案登録請求の範囲】
【請求項１】
甲部にタンが付けられたスリッポンタイプのシューズにおいて、当該シューズの着用時に、着用者が指でつまむことより、タンのシューズ内部側への入り込みや縒れを防ぐことができるタン歪み防止部材を該タンに付設したことを特徴とするスリッポンシューズ。
【請求項２】
前記タン歪み防止部材は、一端がタンに固定され、他端が甲部に固定されるテープ状のものである請求項１記載のスリッポンシューズ。
【請求項３】
前記テープ状のタン歪み防止部材は、一端がタンの上端部に固定され、他端が甲部におけるタンの上端部よりも前方の部分に固定される請求項２記載のスリッポンシューズ。
【請求項４】
前記甲部は、足の甲に対応する部分に組み込まれた伸縮素材からなるパーツを有し、前記タン歪み防止部材の他端は、このパーツに固定される請求項２又は３記載のスリッポンシューズ。
【考案の詳細な説明】
【技術分野】
【０００１】
本考案は、スリッポンシューズに関し、更に詳しくは、靴紐等が無く、足を滑り込ませて履くスリッポンタイプのシューズに関する。
【背景技術】
【０００２】
甲部に靴紐や留め具が無く、着脱が容易なスリッポンシューズにおいて、甲部のフィット感を高めるため、甲部の足の甲に対応する部分の内部側にタン（舌革）を付けたものが知られている。
【考案の開示】
【考案が解決しようとする課題】
【０００３】
しかし、上記のタン付きスリッポンシューズでは、着用時に足を滑り込ませる際、タン部分が足に引きずられて靴の内部側へと入り込んでしまったり、タンの縒れが生じやすいという問題がある。この場合、そのままでは履き心地が悪いため、足を抜いて履き直したり、あるいはタンを引っ張って歪みを直す必要があり、これが、スリッポンの履きやすさを損ね、ユーザーにとって煩わしい手間となっている。
【０００４】
本考案は、以上の点に着目してなされたもので、装着時のタンの入り込み等を防ぐことができるスリッポンシューズを提供することを目的とする。
【課題を解決するための手段】
【０００５】
上記課題を解決するため、本考案によれば、甲部にタンが付けられたスリッポンタイプのシューズにおいて、当該シューズの着用時に、着用者が指でつまむことより、タンのシューズ内部側への入り込みや縒れを防ぐことができるタン歪み防止部材を該タンに付設したことを特徴とするスリッポンシューズが提供される。
【０００６】
本考案に係るスリッポンシューズでは、着用時に着用者がタン歪み防止部材をつまむ（指で該部材を引っ掛けるようにする動作を含む。）ことにより、タンの位置を固定しつつ足を入れることができるので、タンのシューズ内部側への入り込みや縒れを確実に防止することができる。
【０００７】
本考案に係るスリッポンシューズにおいて、前記タン歪み防止部材は、一端がタンに固定され、他端が甲部（甲部に部分的に組み込まれるパーツ部分を含む。）に固定されるテープ状のものであり得る。更に好ましくは、該テープ状のタン歪み防止部材は、一端がタンの上端部（タンの履き口側の端部）に固定され、他端が甲部におけるタンの上端部よりも前方の部分に固定され得る。このようなテープ状の部材では、シューズ着用時に該テープを直接指でつまむ以外に、該テープの両端間の隙間に指を通して指にテープを引っ掛けることにより、タンの位置を固定してその縒れ等を防ぐことができる。なお、前記甲部は、足の甲に対応する部分に組み込まれた伸縮素材からなるパーツを有し得ると共に、前記タン歪み防止部材の他端は、このパーツに固定され得る。
【考案を実施するための最良の形態】
【０００８】
以下、本考案の好適な実施形態を添付図面に基づいて説明する。
【０００９】
図１は、本考案に係るスリッポンシューズの斜視図であり、図２は、図１のシューズのタンが付設された部分の拡大図である。図示されるスリッポンシューズ１は、底部１０と甲部２０とから構成され、甲部２０には、靴紐や留め具が無く、足を履き口から滑り込ませて着用するものである。
【００１０】
甲部２０の一部、足の甲に対応する部分には、伸縮素材からなる甲部パーツ２１が組み込まれている。また、甲部パーツ２１の裏側には、甲部２０のフィット感を高めるため、タン３０が設けられている。タン３０は、甲部パーツ２１の全域に及び、タン３０の前端部が、甲部パーツ２１の前端付近の甲部２０本体（パーツ２１を除く甲部２０）側に接合されている。タン３０の後方部分は、甲部パーツ２１の後端よりも更に後方に突出し、タン３０の後端が湾曲して履き口の一部をなしている。更に、タン３０の横幅は甲部パーツ２１の横幅を若干上回っている。タン３０は、その前端部以外では甲部２０及び甲部パーツ２１とは接合していない。
【００１１】
次に本考案の特徴部分を説明する。以上のスリッポンシューズ１において、タン歪み防止部材としてのテープ部材４０が次のように付設されている。すなわち、テープ部材４０は、その一端４０ａがタンの後端ｂ部（上端部）の左右方向中央に接合され、他方、その前方において他端４０ｂ側の（該テープの）約半分が甲部パーツ２１上に接合される。この他端４０ｂ側のテープ部分は、甲部パーツ２１上において、該パーツ２１の前端から後方へと該パーツ２１の（前後方向長さの）約２／３の領域にて該パーツ２１に対し縫い付けられて固定される。このテープ部材４０の固定において、一端４０ａと他端４０ｂ側部分間のテープ部材の長さに若干余裕を持たせ、これにより、テープ部材４０の上半部が、タン３０及び甲部パーツの表面からわずかに浮いて、その間に着用者が指を通すことができる隙間が生じるようする。
【００１２】
以上のように構成されたスリッポンシューズ１を履く際、着用者は、テープ部材４０を指で直接つまむか、あるいはテープ部材４０下の上記隙間に指を入れて、該テープを少し持ち上げるようにする。これにより、タン３０の上端側も持ち上げられて、履き口がやや拡大し、足が入れやすくなる。また、これにより、タン３０の上端側の位置が指でつまんだテープ部材４０を介して固定されるため、タン３０が足にひきずられて内部側に入り込んだり、縒れたりすることを確実に防ぐことができる。
【図面の簡単な説明】
【００１３】
【図１】本考案に係るスリッポンシューズの斜視図である。
【図２】図１のシューズのタン及びテープ部材付近の拡大図である。
【符号の説明】
【００１４】
１  スリッポンシューズ
２０  甲部
２１  甲部パーツ
３０  タン
４０  テープ部材
【図１】
0003107555.tif 000003
【図２】
0003107555.tif 000004
(57)【要約】      （修正有）【課題】若い人が工事等の作業分野に集まってきている。ヘルメットは必ず使うものであるが、デザインが魅力的なものは少ない。又、テープ等をヘルメットにのりで貼るとすぐ剥れてしまう。本考案はヘルメットに密着し、剥れず美しい金属性光沢のホログラム並びに箔をつけた、ヘルメットを提供する。【解決手段】ホットスタンプの機械に、精確に作られた型であるシリコンラバーを取り付け加熱する。ヘルメットの曲面は微妙で難しいがこの型を作るシールは表がホログラム裏が熱に溶ける素材の多層のシールで、熱を加えると、シリコンラバーのデザインのみヘルメットに付き密着固定される。シールの他の部分は取り除かれる。この様にして、ホログラム並びに箔は、ヘルメットにしっかり固定され、美しい光を発したり多彩なデザイン性の表現が出来る。【選択図】図１
0003107559.tif 000002
【実用新案登録請求の範囲】
【請求項１】
ポリエステル系樹脂からなるプラスチックスフィルムの下に離型層、その下に保護層、その下に箔又はホログラム箔、その下に接着層を形成し、それを上から加圧加熱し最下の接着層に接したヘルメットに転写印刷するホログラム又は箔のついたヘルメット。
【考案の詳細な説明】
【技術分野】
【０００１】
本考案は、ヘルメットにホログラム又は箔を取り付けたヘルメットに関する。
【背景技術】
【０００２】
若い人が女性を含めて、作業業務に集まり始めている。今までの装飾用でヘルメットへ貼布するものは、余り見た目が良くなく、魅力的でない。
【特許文献１】特記すべき先行文献なし。
【非特許文献１】各社で行うものは、種々パンフレット等あるが、のりで貼りつけるものである。
【考案の開示】
【考案が解決しようとする課題】
【０００３】
本考案は、美しいホログラム又は箔をつけたヘルメットを提供し、美しいヘルメットとなる。
【課題を解決するための手段】
【０００４】
本考案は、ポリエステル系樹脂からなるプラスチックスフィルムの下に離型層、その下に保護層、その下に箔又はホログラム箔、その下に接着層を形成し、それを上から加圧加熱し最下の接着層に接したヘルメットに転写印刷するホログラム又は箔のついたヘルメットである。
【考案の効果】
【０００５】
ホログラム並びに箔は金属性の光沢を発し、ヘルメットに加熱加圧するため、剥れにくい。従来ののりで貼るものは剥れやすい。デザインのバリエーションも豊富であり、若い作業者や、ライダーにも大変魅力的である。特に金属性光沢並びに多彩な表現を発するのが良い。
【考案を実施するための最良の形態】
【０００６】
ホットスタンプの機械にヘルメット１の微妙な曲面に合わせた型を作り熱の加わる熱板に型であるデザインとなるシリコンラバーの刻印を取りつける。それらは曲面が微妙で難しい作業であるが、ガイドピン等で位置合わせして行う。
【０００７】
ヘルメットにホログラム体の全体２を表につけ、裏の接着層は熱に溶ける素材である多層の加工層を当てる。図中３は機械、４は版をさしこれは加熱加圧体である。５はフィルムでこれはヘルメットには付かず、取り除くものである。６は離れやすくする離型層であり、７は、はげない様にするための保護層、８は箔又はホログラムである。９は接着層であり、ヘルメットに接着する。
【０００８】
次にデザインを持つシリコンラバーに約２３５度の高熱を加えるとシールの裏の素材が溶け、ホログラムがヘルメットに密着し、固定される。そして、シリコンラバーのデザインのみがヘルメットに綺麗につけられ、デザイン外のホログラム又は箔は取り除かれる。又、これに蓄光や、多色箔、機能箔等の効果を加えると尚良い。
【産業上の利用可能性】
【０００９】
ヘルメットに金属性光沢を持つホログラムや意匠性に優れた箔が美しくつけられることで、若い作業者に大いに受け入れられると思う。
【図面の簡単な説明】
【００１０】
【図１】側面図である。
【図２】大略で示した正面図である。
【符号の説明】
【００１１】
１  ヘルメット
２  ホログラム体
３  機械
４  版
５  フィルム
６  離型層
７  保護層
８  箔又はホログラム
９  接着層
【図１】
0003107559.tif 000003
【図２】
0003107559.tif 000004
(57)【要約】      （修正有）【課題】真空包装機において、簡単に搬送ベルトのハネ上げ作業が迅速、かつ、簡単に行える真空包装機における搬送ベルトの簡易ハネ上げ装置を提供する。【解決手段】真空包装機において、搬送ベルト１の軸２の端部に、軸２の位置を変動させるための軸移動プレート３を、装置本体側に設け、軸移動プレート３には、搬送ベルト１のテンションを弛緩させる弛緩装置７を設け、搬送停止時に、搬送ベルトを移動させて措置本体の縁枠Ｘ間の底部を清掃可能とすることを特徴とする真空包装機における搬送ベルトの簡易ハネ上げ装置である。【選択図】図３
0003107530.tif 000002
【実用新案登録請求の範囲】
【請求項１】
真空包装機において、搬送ベルト（１）の軸（２）の端部に、該軸（２）の位置を変動させるための軸移動プレート（３）を、装置本体側に設け、該軸移動プレート（３）には、搬送ベルト（１）のテンションを弛緩させる弛緩装置（７）を設け、搬送停止時に、搬送ベルト（１）を移動させて装置本体の縁枠（Ｘ）（Ｘ′）間の底部を清掃可能とすることを特徴とする真空包装機における搬送ベルトのハネ上げ装置。
【考案の詳細な説明】
【技術分野】
【０００１】
この考案は、真空包装機における搬送ベルトの簡易ハネ上げ装置に関する。
【背景技術】
【０００２】
従来、包装袋の内部を真空にする真空装置は、包装袋の内部に製品とともに液汁を充填する商品があり、真空包装をする際に、溢出して、装置本体（Ｄ）の内部、特に、搬送コンベアの底部を汚す場合があり、不衛生であったりするため、頻繁に清掃をする必要がある。
【０００３】
そこで、このような装置として、真空包装機の搬送ベルトを、その走行方向に固定側の搬送ベルトと脱着可能側の搬送ベルトに分割し、脱着可能側の搬送ベルトと固定側の搬送ベルトとの接合端部を、取付け、取り外し自在な継手又は蝶番で連結し、ベルト裏面や装置内部を洗浄、清掃、保守を行う装置は存在した。（例えば、特許文献１のように）
【特許文献１】特開２００２−５９９０９号公報
【０００４】
しかしながら、この装置によると、その都度、搬送ベルトの接合端部を取り外したり、取り付けたりしなければならず、その作業が極めて煩雑であるという欠点があった。
【考案の開示】
【考案が解決しようとする課題】
【０００５】
そこで、この考案は、真空包装機において、簡単に搬送ベルトのハネ上げ作業が迅速、かつ、簡単に行える真空包装機における搬送ベルトの簡易ハネ上げ装置を開発することにある。
【課題を解決するための手段】
【０００６】
この考案による真空包装機における搬送ベルトのハネ上げ装置は、真空包装機において、搬送ベルトの軸の端部に、該軸の位置を変動させるための軸移動プレートを、装置本体側に設け、該軸移動プレートには、搬送ベルトのテンションを弛緩させる弛緩装置を設け、搬送停止時に、搬送ベルトを移動させて措置本体底部を清掃可能とすることを特徴とする真空包装機から構成されていることを特徴とする。
【考案の効果】
【０００７】
この考案によると、搬送ベルトの一方の軸を、真空包装機の上方に移動させることにより、簡単に搬送ベルトの下部が露出し、清掃や、保守点検が楽に行え、また、その搬送ベルトの一方の軸の脱・装着が簡単に行える効果を有する。
【考案を実施するための最良の形態】
【０００８】
以下、この考案による真空包装機における搬送ベルトの簡易ハネ上げ装置の好適な実施の形態について詳細に説明する前に、先ず、真空装置について、図１および図２に基づいて簡単に説明すると、基台（Ａ）の上部に、本体縁枠（Ｘ）（Ｘ′）を設け、両縁枠間に、二本の回転ローラ（Ｂ）の軸（２）をそれぞれ軸着している。
【０００９】
しかし、軸（２）の一方は、縁枠（Ｘ）に、軸移動プレート（３）を介して装着されている。そして、両回転ローラ（Ｂ）間には、エンドレスに搬送ベルト（１）が巻回されており、該搬送ベルト（１）の上部には、チャンバー（Ｃ）を開閉自在に設け、該チャンバー（Ｃ）が位置する、搬送ベルト（１）の下部にはチャンバー台（図示せず）を設けている。尚、基台（Ａ）には、搬送ベルト（１）の駆動源や、チャンバー（Ｃ）内を真空にするための吸引装置等が搭載されている。
【００１０】
そして、この考案の一実施例を示す真空包装機は、搬送ベルト（１）の軸（２）の端部に、該軸（２）の位置を変動させるための軸移動プレート（３）を、装置本体側に設け、該軸移動プレート（３）には、搬送ベルト（１）のテンションを弛緩させる弛緩装置（７）を設け、搬送停止時に、搬送ベルト（１）を移動させて縁枠（Ｘ）（Ｘ′）間の底部を清掃可能とすることを特徴とする真空包装機における搬送ベルトのハネ上げ装置から構成されているものである。
【００１１】
尚、真空包装機のそれぞれ縁枠（Ｘ）（Ｘ′）の内側に位置する、軸移動プレート（３）は、一端に凹溝（４）を設けており、該凹溝（４）で縁枠（Ｘ）（Ｘ′）に軸着されたピン（５）に係合されており、該ピン（５）を支点として軸移動プレート（３）より上方に移動するものである。
【００１２】
そして、前記軸移動プレート（３）の他端には、スライド溝（６）が設けられており、軸（２）の両端部が、それぞれ該スライド溝（６）内に位置〔当然、軸（２）の両端にはナットが螺着されており軸（２）が抜け落ちることはない。〕しており、両軸（２）の両端には弛緩装置（７）が設けられている。
【００１３】
弛緩装置（７）には、弛緩用ボルト（７ａ）が、それぞれ前記軸（２）を軸受け等を介して固定されており、該弛緩用ボルト（７ａ）を軸移動プレート（３）に設けたナット（８）を締めつけ、緩めることにより、軸（２）のテンションを高めたり、緩めたりするものである。
【００１４】
そして、軸移動プレート（３）は、それぞれ真空包装機のそれぞれ縁枠（Ｘ）（Ｘ′）に設けた固定具（９）に固定されており、該固定具（９）を外すことにより、図３の下の図のように軸（２）が軸移動プレート（３）と共に、上方に移動するものである。
尚、（１０）は、縁枠（Ｘ）に設けられた軸移動プレート（３）のストッパーである。
【図面の簡単な説明】
【００１５】
【図１】この考案の一実施例を示す真空包装機の側面図である。
【図２】この考案の一実施例を示す真空包装機の正面図である。
【図３】この考案の一実施例を示す一部欠截要部拡大説明図である。
【図４】この考案の一実施例を示す一部欠截要部正面図である。
【符号の説明】
【００１６】
Ａ  基台
Ｂ  回転ローラ
Ｃ  チャンバー
Ｄ  装置本体
Ｘ  本体縁枠
Ｘ′本体縁枠
１  搬送ベルト
２  軸
３  軸移動プレート
４  凹溝
５  ピン
６  スライド溝
７  弛緩装置
７ａ  弛緩用ボルト
８  ナット
９  固定具
１０  ストッパー
【図１】
0003107530.tif 000003
【図２】
0003107530.tif 000004
【図３】
0003107530.tif 000005
【図４】
0003107530.tif 000006
(57)【要約】      （修正有）【課題】携帯用（使い捨て）カイロやペットが好む香りなどを入れて利用できるスペースを設けることで、ペットが、安全、且つ、快適に過ごせるペット用のクッションを提供する。【解決手段】本考案は、ペット用クッションの形状を、主に猫や小型犬の背中のアーチに近い豆型にし、本体１の内部に中綿を入れることで、ペットがより自然にもたれかかることができ、安心感を与え、自身の体温による保温効果を得ることができる。また、携帯用（使い捨て）カイロやペットが好む香りなどを入れる空間３を内部に設けることで、ペットに直接触れることなく、安全に暖房効果やリラックス効果をもたらすことが可能となる。さらに、専用のカバーで被うことで、ペットのポケット部３へのペットのいたずらを防ぎ、且つ、汚れた場合には、外して手軽に洗うことが可能となる。【選択図】図２
0003107521.tif 000002
【実用新案登録請求の範囲】
【請求項１】
猫や小型犬などの小動物が、何かにもたれてくつろいだり、グルーミングしたりする習性にならい、ペットがもたれる行為に合うように、ペットの背中のアーチに近い豆型の形をモチーフとして用い、且つ、ペットが好む香りを入れたり、寒い時期には携帯用（使い捨て）カイロを入れたりできるポケット付きのペット用クッション。
【考案の詳細な説明】
【技術分野】
【０００１】    本考案は、猫や小型犬などの小動物の習性に基づいて、ペットが快適に過ごしたり、安全に暖をとったり、くつろいだりできる様に、ポケット構造を持つペット用のクッションに関するものである。
【背景技術】
【０００２】    これまで、猫や小型犬などの小動物向けのクッションと呼べるものはなく、単純なマット形状のものなどが主流で、特に暖房機能をもった商品は、材質的にはハードなものであり、また、電源を確保する必要があるために、その置き場所も限定されるものだった。
【考案の開示】
【考案が解決しようとする課題】
【０００３】    従来の商品では、素材や構造上、クッションと呼べる状態のものではく、マットがその代わりを果たしていた。また、暖房の手段として家庭用交流電源を利用しているために電源コードが存在し、ペットが好む場所に自由におくことができず、また、留守中の使用においては、不安を感じるものであった。従って、素材や構造の変更をはじめ、クッションとしての形にまとめ、且つ、電気を使用しないで暖房機能を設けることで、これらの問題を解決しようとするものである。
【課題を解決するための手段】
【０００４】    本考案は、素材を布やそれに準じた柔らかいものにし、中綿を入れてクッションとしての形を作り、且つ、ポケット構造を設けることで、ペットの体に直接触れることなく携帯用（使い捨て）カイロなどを使用でき、暖房用途として安全に利用できるものとなる。また、電源も必要ないため、ペットが好む場所へ自由に移動して使うことも可能となるものである。
【考案の効果】
【０００５】    上述のように、本考案のペット用クッションは、部屋の中において、自由に好きな場所で利用でき、ポケット部分にペットが好む香りを入れたり、また、特に時期には、携帯用（使い捨て）カイロなどの利用により、電源を使わずに安全に暖房を確保できる。
【考案を実施するための最良の形態】
【０００６】    クッション本体は、布などの柔らかい素材を用い、内部に綿などを入れる構造とする。ペットが好む香りを入れたり、暖房のために、携帯用（使い捨て）カイロを使用できるように、クッションの内部にポケット構造を設けることで、ペットが直接携帯用（使い捨て）カイロなどに触れないようにする。また、クッション本体に、ファスナーなどの開閉による簡単に脱着できるカバーを付けることで、汚れた場合の洗濯が容易になり、通常の使用状態では、ペットがいたずらをしたりできないようにもなる。
【実施例】
【０００７】    以下、添付図面に従って実施例を説明する。本考案によるペット用クッションは、本体となる１とカバーの４からなり、１の本体には中綿が入っており、クッション性、及び、保温性を高める効果がある。【０００８】    クッション本体の１には、携帯用（使い捨て）カイロやペットが好む香りなどを入れる空間３（波線部分）があり、２の口から出し入れができる。【０００９】    クッション本体１には、専用のカバー４が付属しており、５の開閉部分（ファスナーなど）から、本体１を出し入れすることができる。
【図面の簡単な説明】
【００１０】
【図１】本考案のペット用クッションを三方向から見た図である。
【図２】本ペット用クッションの本体部分を三方向から見た図である。（波線部分はポケット構造となっていて、内部に空間があることを示している。）
【図３】本考案のペット用クッションを本体とカバーに分けた図である。
【符号の説明】
【００１１】  １  クッション本体
２  ポケットの開口部
３  ポケット部（波線にて表示）
４  カバー
５  （ファスナー等による）カバー脱着のための開口部
【図１】
0003107521.tif 000003
【図２】
0003107521.tif 000004
【図３】
0003107521.tif 000005
(57)【要約】【課題】植物が生長し易く、しかも植物が繁茂する前においても好ましい外観を呈する緑化基盤を提供する。【解決手段】最下の第一層（１）と、該第一層上に設けた第二層（３）と、該第二層上に設けた第三層（５）とよりなり、該第一層（１）は透水性破砕物（９）を接着手段（１１）に混入してなり、該第二層（３）は第一層の透水性破砕物（９）よりも細かな透水性破砕物（１３）を含み、該第三層（５）は表土であることを特徴とする緑化基盤。第一層の透水性破砕物（９）と第二層の透水性破砕物（１３）は、コンクリート、瓦、レンガ等の廃棄物を破砕してなるものである。【選択図】図１
0003107526.tif 000002
【実用新案登録請求の範囲】
【請求項１】
最下の第一層と、該第一層上に設けた第二層と、該第二層上に設けた第三層とよりなり、
該第一層は透水性破砕物を接着手段に混入してなり、該第二層は第一層の透水性破砕物よりも細かな透水性破砕物を含み、該第三層は表土であることを特徴とする緑化基盤。
【請求項２】
前記第一層の透水性破砕物と第二層の透水性破砕物は、それぞれコンクリート、瓦、レンガ等の廃棄物を破砕してなるものであることを特徴とする請求項１に記載の緑化基盤。
【考案の詳細な説明】
【技術分野】
【０００１】
本考案は、運動場、駐車場、庭等に天然芝等の植物を生育させるための緑化基盤に関するものである。
【背景技術】
【０００２】
特開平７−３１５９０４号公報は、ゼオドライトを粗骨材とするコンクリート成形物よりなる緑化基盤を開示している。
【特許文献１】特開平７−３１５９０４号公報
【考案の開示】
【考案が解決しようとする課題】
【０００３】
しかるに、上記従来の緑化基盤は、コンクリート板であるから、植物が根を張りにくいものである。また、植物が繁茂するまでの間はコンクリート面が露出しているため、外観上好ましくないという問題もある。
【０００４】
本発明は、上記従来の緑化基盤における上述の如き問題を解決し、植物が生長し易く、しかも植物が繁茂する前においても好ましい外観を呈する緑化基盤を提供しようとしてなされたものである。
【課題を解決するための手段】
【０００５】
上記課題を解決するために、本考案は、下記の緑化基盤を提供する。
【０００６】
（１）最下の第一層と、該第一層上に設けた第二層と、該第二層上に設けた第三層とよりなり、
該第一層は透水性破砕物を接着手段に混入してなり、該第二層は第一層の透水性破砕物よりも細かな透水性破砕物を含み、該第三層は表土であることを特徴とする緑化基盤（請求項１）。
【０００７】
（２）前記第一層の透水性破砕物と第二層の透水性破砕物は、それぞれコンクリート、瓦、レンガ等の廃棄物を破砕してなるものである（請求項２）。
【考案の効果】
【０００８】
［請求項１の考案］
第一層と第二層とに透水性破砕物が用いられているため、緑化基盤は透水性が良く、植物が好ましく生長する。第三層は表土であるため、植物の植栽に適しているだけでなく、植物が繁茂する前においても好ましい外観を呈する。また、雑草が生え難く、雑草が生えたときでも、これを容易に抜くことができる。
【０００９】
［請求項２の考案］
コンクリート、瓦、レンガ等の廃棄物（廃棄されるべき物）は、一般に埋立て処分されるものであり、環境に大きな負担となるものであるが、請求項２の考案における透水性破砕物は、コンクリート、瓦、レンガ等の廃棄物を破砕してなるものである。即ち、これらの廃棄物は、有効にリサイクルされることになる。その結果、資源の節約、コストの削減、環境の保護等の面で優れた効果が発揮される。
【考案を実施するための最良の形態】
【００１０】
本考案による緑化基盤は、最下の第一層１と、該第一層１上に設けた第二層３と、該第二層３上に設けた第三層５とよりなる。符号７に示すものは、運動場、駐車場、庭等の基盤である。
【００１１】
第一層１は透水性破砕物９を接着手段１１に混入してなる。
【００１２】
第一層１における透水性破砕物９は、好ましくは、ポラスコンクリート、瓦、レンガ等の廃棄物を８〜２０ｍｍの大きさに破砕してなるものとする。
【００１３】
第一層１における粘着手段１１としては、例えば、セメントペースト、アスファルト等を用いる。
【００１４】
即ち、第一層１は、例えば、ポラスコンクリート、瓦、レンガ等の廃棄物を８〜２０ｍｍの大きさに破砕してなるものをセメントペースト、アスファルト等に混入してなるものであって、第一層1全体として透水性を有する。
【００１５】
第二層３は第一層１の透水性破砕物９よりも細かな透水性破砕物１３を含む。
【００１６】
第二層３における透水性破砕物１３は、好ましくは、ポラスコンクリート、瓦、レンガ等の廃棄物を０．１〜８ｍｍの大きさに破砕してなるものとする。
【００１７】
第二層３は、前記透水性破砕物１３の他、例えば、バーク堆肥、肥料等を含むものであってもよい。
【００１８】
第三層５は表土である。
【００１９】
第三層５は、例えば、ポラスコンクリート、瓦、レンガ等の廃棄物を０．１〜２．５ｍｍの大きさに破砕してなるものにより形成してもよい。
【００２０】
第三層５には予め植物の種子を混入してよい。
【００２１】
本考案による緑化基盤には、例えば天然芝等の植物１５を植栽する。
【図面の簡単な説明】
【００２２】
【図１】本考案による緑化基盤の一例を示す断面図である。
【符号の説明】
【００２３】
１  第一層
３  第二層
５  第三層
７  基盤
９  透水性破砕物
１１  粘着手段
１３  透水性破砕物
１５  植物
【図１】
0003107526.tif 000003
(57)【要約】【課題】スペ−スをとらず、かつ必要な工具類などを目視で選別でき、取り出しに手間がかからないリップみぞ形鋼に着脱可能に装着できる掛け具の提供【解決手段】この考案のリップみぞ形鋼に着脱可能に装着できる掛け具は、リップみぞ形鋼Ａのリップａの先端部に掛止できる折り曲げ部１を設けるとともに、リップみぞ形鋼Ａの側壁部ｂに嵌合可能に成形したコの字状の部材Ｂの側面２に外側に突出する掛け部材３を設けており、該掛け部材３に工具類などをタイプ・種類別に区分けして並べて掛けることにより、一覧的に目視可能に整理して管理ができる。【選択図】 図１
0003107524.tif 000002
【実用新案登録請求の範囲】
【請求項１】
リップみぞ形鋼壁構造建造物において、前記リップみぞ形鋼（Ａ）に着脱可能に装着できる掛け具であって、前記リップみぞ形鋼（Ａ）のリップ（ａ）の先端部に掛止できる折り曲げ部（１）を設けるとともに、前記リップみぞ形鋼（Ａ）の側壁部（ｂ）に嵌合可能に成形したコの字状の部材（Ｂ）の側面（２）に外側に突出する掛け部材（３）を設けたことを特徴とするリップみぞ形鋼に着脱可能に装着できる掛け具
【考案の詳細な説明】
【技術分野】
【０００１】
この考案は、リップみぞ形鋼壁構造建造物において、前記リップみぞ形鋼に着脱可能に装着できる掛け具に関するものである。
【背景技術】
【０００２】
図３に示すように、柱Ｐに横桟としてリップみぞ形鋼Ａを固定し、該リップみぞ形鋼Ａにスレ−トなどの外壁材Ｙを取付てなる工場、作業場、倉庫又は車庫などの建造物Ｈにおいて、該建造物Ｈ内で使用する、例えば、スパナ、モンキ−レンチ、メガネレンチ、穴付き工具等の工具類やショベル、箒などの清掃具を保管する場合には、市販の工具類収納箱や清掃具収納箱などを購入し、設置していたので、設備費がかかる上にスペ−スをとるという問題点があった。さらに、複数個の工具類収納箱や清掃具収納箱などが設置されている場合には、必要な工具類や清掃具の選別と取り出しに手間がかかるという問題点があった。
【０００３】
また、竹竿、角材木、パイプなどの長物部材を保管する場合には、床面に直接積み重ねていたので、必要な部材の選別と取り出しに手間がかかるという問題点があった。なお、市販の接着層付き掛止具（例えば、特許文献１参照。）などをリップみぞ形鋼の側壁面に張り付け、工具類などを吊り下げるという手法も試みたが、強度や耐久性が不足し、実用的でないことが分かった。
【特許文献１】実用新案登録第３０７２０００号公報
【考案の開示】
【考案が解決しようとする課題】
【０００４】
この考案は、背景技術で記述した問題点を解消するためになされたもので、スペ−スをとらず、かつ必要な工具類などを目視で選別でき、取り出しに手間がかからないリップみぞ形鋼に着脱可能に装着できる掛け具の提供を目的とするものである。
【課題を解決するための手段】
【０００５】
この考案のリップみぞ形鋼に着脱可能に装着できる掛け具は、リップみぞ形鋼壁構造建造物において、前記リップみぞ形鋼に着脱可能に装着できる掛け具であって、前記リップみぞ形鋼のリップの先端部に掛止できる折り曲げ部を設けるとともに、前記リップみぞ形鋼の側壁部に嵌合可能に成形したコの字状の部材の側面に外側に突出する掛け部材を設けたことを特徴とするものである。
【考案の効果】
【０００６】
この考案は上述のように構成されているので、次のような効果を呈する。
（１）工場、作業場、倉庫又は車庫などの建造物内のスペ−スを広く使用することができる。
（２）工具類、清掃具や竹竿、角材木、パイプなどの長物部材などを壁掛けの状態で、それぞれのタイプに区分けして並べ、整理して、管理することができるので、必要な工具類などは、目視で、直ちに選別し、取り出すことができるため、手間がかからない。
（３）作業性、安全性、美観が向上する。
（４）ワンタッチで着脱ができるので、用途に応じて、装着箇所などの変更を自由に行うことができる。
【考案を実施するための最良の形態】
【０００７】
スペ−スをとらず、かつ必要な工具類などを目視で選別でき、取り出しに手間がかからないリップみぞ形鋼に着脱可能に装着できる掛け具の提供という目的を、リップみぞ形鋼の側壁部に嵌合可能に成形したコの字状の部材の側面に、外側に突出する掛け部材を設けることによって実現できた。
【実施例】
【０００８】
この考案の実施の形態の一例を図面を参照しながら説明するに、リップみぞ形鋼壁構造建造物Ｈにおいて、リップみぞ形鋼Ａに着脱可能に装着できる掛け具であって、コの字状の部材Ｂは、図１に示すように、リップみぞ形鋼Ａのリップａの先端部に掛止できる折り曲げ部１を設けるとともに、リップみぞ形鋼Ａの側壁部ｂに嵌合可能に成形されている。したがって、コの字状の部材Ｂは、図１（ａ）の右図に示すように、折り曲げ部１をリップみぞ形鋼Ａのリップａの先端部に掛け、図１（ａ）の右図において、時計回りに回転させると、リップみぞ形鋼Ａの側壁部ｂに嵌合し、ワンタッチで装着できるようになっている。外す場合には、半時計方向に回せばよい。
【０００９】
コの字状の部材Ｂの側面２に、図１に示すように、外側に突出する掛け部材３を設けている。
【００１０】
図１（ａ）は、掛け部材３を一個設けた場合を示し、図１（ｂ）は掛け部材３を二個設けた場合を示しているているが、掛け部材３の個数は、これに限定されるものではなく、用途に応じて、三個以上の掛け部材３を適宜間隔をおいて設けることは自由である。
【００１１】
コの字状の部材Ｂが金属板から構成されている場合には、掛け部材３も金属からなり、溶接又はネジ止めなどによって、コの字状の部材Ｂの側面２に固定される。
【００１２】
コの字状の部材Ｂが硬質プラスチックから構成されている場合には、掛け部材３も硬質プラスチックからなり、射出成形等によって、一体的にコの字状の部材Ｂの側面２に固定される。
【００１３】
なお、本例では、先端部が上曲がりになった掛け部材３の形状を示したが、この形状に限定されるものではなく、掛け部材３に掛ける工具類のタイプ・形状などに合うように適当に成形してもよい。
【００１４】
実施に際しては、図２に示すように、本願の掛け具をリップみぞ形鋼Ａに装着し、工具類や清掃具などを、区分けして、一覧的に管理できるように、掛け部材３に掛ける。図示は省略したが、掛け部材３に板台を載せて、整理棚を構成させることも可能である。
【産業上の利用可能性】
【００１５】
この考案は上述のように構成されているので、工具類などを、タイプや種類別に区分けして並べ、一覧的に目視できる様態で整理し、管理が可能な掛け具として利用できる。
【図面の簡単な説明】
【００１６】
【図１】考案の一実施例を示す概略斜視図
【図２】使用状態の一例を示す概略斜視図
【図３】リップみぞ形鋼壁構造建の一例を示す概略図
【符号の説明】
【００１７】
１ 折り曲げ部
２ コの字状の部材の側面
３ 掛け部材
Ａ リップみぞ形鋼
Ｂ コの字状の部材
ａ リップみぞ形鋼のリップ
ｂ リップみぞ形鋼の側壁部
Ｈ リップみぞ形鋼壁構造建造物
Ｐ 柱
Ｙ 外壁材
【図１】
0003107524.tif 000003
【図２】
0003107524.tif 000004
【図３】
0003107524.tif 000005
(57)【要約】【課題】      建物の正面中柱の存在、取付け壁の高さ不足など、構造的な難点に対処しえる給水位置範囲を拡大しえる小便器用フラッシュバブルの提供。【解決手段】  ピストンバブル部と止水栓部２に分割し、フクロナット構造３，４で接合し、止水栓部２には、背面と側面又は前面のいずれか二面に、メスネジ給水口９，１０を設け、ストレーナ付き止水弁５を経てフクロナット３，４へ通水構造を持つものである。止水栓部には複数の固定ビス穴を設け、オスネジ六角ニップルとオスネジ化粧メクラを備える。【選択図】    図１
0003107522.tif 000002
【実用新案登録請求の範囲】
【請求項１】
小便器用フラッシュバルブにおいて、ピストンバルブ部と、止水栓部を切り離し両機能部をフクロナットで連結して、止水栓部に固定ネジ穴と給水管接続口を背面と、側面の二方向に設けて、オスネジ六角穴ニップル並びに、化粧メクラを付属する事によって、固定及び、給水位置を多様化した機能を有する小便器用セパレート型フラッシュバルブ。
【考案の詳細な説明】
【考案の詳細な説明】
【産業上の利用分野】
【０００１】  本考案は、小便器用フラッシュバルブの固定の補助と、給水位置範囲を拡大し、既設給水配管のトラブルに対応して、露出配管による補修を可能とする、小便用セパレート型のフラッシュバルブに関するものである。
【背景技術】
【０００２】  従来の一体構造の小便器用フラッシュバルブでは、給水位置が背面壁出しで、位置移動は、排水管の切断又は交換によって行い、下方には３０ｍｍ程で、上方移動は、別売排水管を手配するものである。尚、左右の移動は、不可能なものであった。【０００３】  しかしながら、上記の仕様では、特に改造において建物の正面中柱の存在、取付壁の高さ不足等、構造的な難点が多くあり、場合によっては美観を損なうものであった。
【考案が解決しようとする課題】
【０００４】  本考案は、上記欠点を解消する為、従来の一体化構造からピストンバルブ部と止水栓部を分割して、フクロナット接合する事によって、背面壁給水では、クランク構造となり、５０ｍｍ程を半径として３６０°の給水位置が確保出来る。又、側面の給水口を設ける事によって、壁前面の露出給水を可能にしたものである。且止水栓部に複数の固定ビス穴を設ける事で安定した固定と、壁の無い所でも、別途固定部材により設置出来る多目的機能を持つものである。
【課題を解決するための手段】
【０００５】    上記目的を達成するため図面に基いて、本考案の構造をと取付例を示す。ピストンバルブ部１と、止水栓部２に分割し、フクロナット構造３、４で接合する。止水栓部２には、背面と側面又は、前面のいずれか二面に、１５Ａメスネジ給水口９・１０を設け、ストレーナ付止水弁５を経て、フクロナット３・４へ通水構造を持つものとする。又、止水栓部には、複数の固定ビス穴８を設ける。付属品として１５Ａオスネジの六角ニップル６、１５Ａオスネジの化粧メクラ７を加えたものである。
【発明実施の形態】
【０００６】  以下、本考案の実施例について取付例を示す〈図６−８〉を参照にして、詳細に説明する。背面給水による設置は、従来の様に１５Ａメスネジ１１を壁内に設置する。その給水位置は、クランクの構造により５０ｍｍ程の半径を持つ円上で可能となる。露出給水は、半径７０ｍｍ程の円上に１５Ａメスネジ１２で取り付けが可能となる。窓等により、必要な高さに背面壁が無い場合には、Ｌ型取付金具１４等を利用すれば固定設置出来る。
【０００７】  給水配管の接続点は、従来の市販配管部材で接続出来、接続位置範囲を拡大し、固定ビスにより固定の安定を計る。
【０００８】  前記の小便器用セパレート型フラッシュバルブは、材質を従来の水栓用合金で製作し、その他部材も現行規格のもので組立られるものである。
【考案の効果】
【０００９】  本考案は、上記の構造により下記の如く、数々の効果を奏する。壁埋め込みによる後方給水及び、露出配管側方給水が出来る。
露出配管は、従来の埋込給水管の破損等による配管変更及び補修が美観を損なわずに出来る。
後方給水では、フクロナット構造固定から、派生する給水がクランク構造になり、従来の後方給水方式により適応給水範囲を拡大させる。この事により、小便所の改修において、建物の構造的問題による設置時の難点を大幅に克服出来る。又、止水栓の形状を壁面と平行にし、固定ビス穴を設ける事によってより強固に固定することが可能となると共に、前面窓等で取付壁が確保出来ない場合には、Ｌ型取付金具で固定可能となる。
ピストンバルブ部をフクロナットで固定することで、排水管の長さ調整の遊びを５ｍｍ程で取付可能であるから、フラッシュバルブ取り付けが容易となる。派生利点としては、背面給水における側面のメクラ部から１５Ａオスネジによる分岐取水も可能である。
【図面の簡単な説明】
【００１０】図１  本考案の構造を示す構造図
図２  同構造正面図
図３  同構造の側面図
図４  １５Ａオスネジ六角ニップルの詳細図
図５  １５Ａオスネジ化粧メクラの詳細図
図６  本考案による取付例を示す使用状態図
図７  同上を示す使用状態図
図８  同上を示す使用状態図
【符号の説明】
【００１１】１．  ピストンバルブ部
２．  止水栓部
３．  連結用袋ナット
４．  連結用オスネジ
５．  ストレーナー付止水栓
６．  １５Ａオスネジ六角ニップル
７．  １５Ａオスネジ化粧メクラ
８．  固定用ビス穴
９．  １５Ａメスネジ背面給水口
１０．１５Ａメスネジ側面給水口
１１．壁埋込給水管１５Ａメスネジ
１２．露出水道管１５Ａメスネジ
１３．給水管１５Ａメスネジ
１４．取付金具
１５．小便器
【図１】
0003107522.tif 000003
【図−２】
0003107522.tif 000004
【図−３】
0003107522.tif 000005
【図−４】
0003107522.tif 000006
【図−５】
0003107522.tif 000007
【図−６】
0003107522.tif 000008
【図−７】
0003107522.tif 000009
【図−８】
0003107522.tif 000010